【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
電流印加電極対を体幹周囲方向に配置し、電圧計測電極対の一方の電圧計測電極を前記電流印加電極対の一方の電流印加電極の近接位置に配置し、他方の電圧計測電極を前記一方の電流印加電極から体幹長方向の遠方位置に配置して、体幹のインピーダンスを測定することにより体幹部皮下脂肪組織情報を求めることを特徴とする体幹部皮下脂肪測定方法。
【請求項２】
電流印加電極対に含まれる一方の電流印加電極から、皮下脂肪組織層が薄い部位、または、骨格筋組織層の筋腹部が無いまたは薄い部位に電流を印加し、
電圧計測電極対に含まれる一方の電圧計測電極を、前記電流印加電極直下の広がり抵抗の影響が支配的な位置に配置し、他方の電圧計測電極を、前記電流印加電極直下の広がり抵抗の影響が軽減されるまで離れた位置に配置して、前記一方の電圧計測電極と前記他方の電圧計測電極の間の電位差を測定することにより皮下脂肪組織情報を得ることを特徴とする体幹部皮下脂肪測定方法。
【請求項３】
少なくとも１つの電流印加電極対に含まれる一方の電流印加電極から、皮下脂肪組織層が薄い部位、または、骨格筋組織層の筋腹部が無いまたは薄い部位に電流を印加し、
少なくとも２つの電圧計測電極対の一方の電圧計測電極対に含まれる一方の電圧計測電極を、前記電流印加電極直下の広がり抵抗の影響が支配的な位置に配置し、他方の電圧計測電極を、前記電流印加電極直下の広がり抵抗の影響が軽減されるまで離れた位置に配置して、前記一方の電圧計測電極と前記他方の電圧計測電極の間の電位差を測定することにより皮下脂肪組織情報を得、
前記少なくとも２つの電圧計測電極対の他方の電圧計測電極対を、前記電流印加電極直下の広がり抵抗の影響が軽減されるまで離れた位置に配置して電位差を測定することにより内臓脂肪組織情報を得、
前記一方の電圧計測電極対と前記他方の電圧計測電極対を選択して、前記皮下脂肪組織情報と前記内臓脂肪組織情報を選択的に得ることを特徴とする体幹部内臓・皮下脂肪測定方法。
【請求項４】
体幹周囲方向に配置される電流印加電極対と、前記電流印加電極対の一方の電流印加電極の近接位置に配置される一方の電圧計測電極と前記一方の電流印加電極から体幹長方向の遠方位置に配置される他方の電圧計測電極とから成る電圧計測電極対と、から成り、体幹のインピーダンスを測定することにより体幹部皮下脂肪情報を求めることを特徴とする体幹部皮下脂肪測定装置。
【請求項５】
臍位近辺、側腹部、側背部のいずれかに前記一方の電流印加電極と前記一方の電圧計測電極とを配置して測定する請求項４に記載の体幹部皮下脂肪測定装置。
【請求項６】
電流印加電極対と電圧計測電極対とを有し、
前記電流印加電極対に含まれる一方の電流印加電極は、皮下脂肪組織層が薄い部位、または、骨格筋組織層の筋腹部が無いまたは薄い部位に電流を印加し、他方の電流印加電極は、皮下脂肪組織層が厚い部位に電流を印加するものであり、
前記電圧計測電極対の一方の電圧計測電極は、前記電流印加電極直下の広がり抵抗の影響が支配的な位置に配置され、他方の電圧計測電極は、前記電流印加電極直下の広がり抵抗の影響が軽減されるまで離れた位置に配置されて、前記一方の電圧計測電極と前記他方の電圧計測電極の間の電位差を測定することにより皮下脂肪組織情報を得ることを特徴とする体幹部皮下脂肪測定装置。
【請求項７】
前記他方の電圧計測電極は、前記電位差を、皮下脂肪組織層が薄い部位、または、骨格筋組織層の筋腹部が無いまたは薄い部位にて測定する請求項６記載の体幹部皮下脂肪測定装置。
【請求項８】
前記電流印加電極直下の広がり抵抗の影響が支配的な位置は、臍位近辺、側腹部、側背部のいずれかであり、前記電流印加電極直下の広がり抵抗の影響が軽減されるまで離れた位置は、臍部と腸骨稜上縁部の間である請求項６又は７に記載の体幹部皮下脂肪測定装置。
【請求項９】
前記電圧計測電極対に含まれる一方の電圧計測電極は、前記電流印加電極に対して近接位置に配置され、前記他方の電圧計測電極は、前記電流印加電極に対して、近接位置に配置された前記一方の電圧計測電極より十分に遠方位置に配置され、前記一方の電圧計測電極と前記他方の電圧計測電極間の電位差を測定することにより皮下脂肪組織層の情報を得る請求項６乃至８のいずれか１項に記載の体幹部皮下脂肪測定装置。
【請求項１０】
前記十分に遠方位置とは、前記近接位置の３倍以上の位置である請求項９記載の体幹部皮下脂肪測定装置。
【請求項１１】
少なくとも１つの電流印加電極対と、少なくとも２つの電圧計測電極対とを有し、
前記少なくとも１つの電流印加電極対に含まれる一方の電流印加電極は、皮下脂肪組織層が薄い部位、または、骨格筋組織層の筋腹部が無いまたは薄い部位に電流を印加し、他方の電流印加電極は、皮下脂肪組織層が厚い部位に電流を印加するものであり、
前記少なくとも２つの電圧計測電極対の一方の電圧計測電極対に含まれる一方の電圧計測電極は、前記電流印加電極直下の広がり抵抗の影響が支配的な位置に配置され、他方の電圧計測電極は、前記電流印加電極直下の広がり抵抗の影響が軽減されるまで離れた位置に配置されて、前記一方の電圧計測電極と前記他方の電圧計測電極の間の電位差を測定することにより皮下脂肪組織情報を得るものであり、
前記少なくとも２つの電圧計測電極対の他方の電圧計測電極対は、前記電流印加電極直下の広がり抵抗の影響が軽減されるまで離れた位置に配置されて電位差を測定することにより内臓脂肪組織情報を得るものであり、
前記一方の電圧計測電極対と前記他方の電圧計測電極対を選択して、前記皮下脂肪組織情報と前記内臓脂肪組織情報を選択的に得る切換装置を更に備えることを特徴とする体幹部内臓・皮下脂肪測定装置。
【請求項１２】
前記他方の電圧計測電極対は、前記電位差を、皮下脂肪組織層が薄い部位、または、骨格筋組織層の筋腹部が無いまたは薄い部位にて測定する請求項１１記載の体幹部内臓・皮下脂肪測定装置。
【請求項１３】
前記電流印加電極直下の広がり抵抗の影響が支配的な位置は、臍位近辺、側腹部、側背部のいずれかであり、前記電流印加電極直下の広がり抵抗の影響が軽減されるまで離れた位置は、臍部と腸骨稜上縁部の間である請求項１１又は１２に記載の体幹部内臓・皮下脂肪測定装置。
【請求項１４】
前記一方の電圧計測電極対に含まれる一方の電圧計測電極は、前記電流印加電極に対して近接位置に配置され、前記他方の電圧計測電極は、前記電流印加電極に対して、近接位置に配置された前記一方の電圧計測電極より十分に遠方位置に配置され、前記一方の電圧計測電極と前記他方の電圧計測電極間の電位差を測定することにより皮下脂肪組織層の情報を得る請求項１１乃至１３のいずれか１項に記載の体幹部内臓・皮下脂肪測定装置。
【請求項１５】
前記十分に遠方位置とは、前記近接位置の３倍以上の位置である請求項１４記載の体幹部内臓・皮下脂肪測定装置。
【請求項１６】
前記少なくとも２つの電圧計測電極対によって測定された電位差を利用して求めた体幹部のインピーダンスと身体特定化情報とに基づいて体幹部内臓脂肪組織量を推定する体幹部内臓脂肪組織量推定手段とを更に備える請求項１１乃至１５のいずれか１項に記載の体幹部内臓・皮下脂肪測定装置。
【請求項１７】
前記一方の電圧計測電極対によって測定された電位差を利用して求めた体幹部のインピーダンスと身体特定化情報とに基づいて体幹部の皮下脂肪組織量を推定する体幹部皮下脂肪組織量推定手段と、前記推定した体幹部の皮下脂肪組織量と身体特定化情報とに基づいて体幹部皮下脂肪組織層のインピーダンスを求める体幹部皮下脂肪組織層インピーダンス推定手段と、身体特定化情報に基づいて体幹部の骨格筋組織量を推定し、該推定された体幹部の骨格筋量と身体特定化情報とに基づいて体幹部の骨格筋組織層のインピーダンスを推定する体幹部骨格筋組織層インピーダンス推定手段と、身体特定化情報に基づいて体幹部の内臓器組織量を推定し、該推定された体幹部の内臓器組織量と身体特定化情報とに基づいて体幹部の内臓器組織のインピーダンスを推定する体幹部内臓器組織インピーダンス推定手段と、前記推定した体幹部のインピーダンスと、前記推定した体幹部骨格筋組織層のインピーダンスおよび体幹部の内臓器組織のインピーダンスとに基づいて体幹部内臓脂肪組織のインピーダンスを推定する体幹部内臓脂肪組織インピーダンス推定手段と、前記推定した体幹部内臓脂肪組織のインピーダンスと身体特定化情報とに基づいて体幹部内臓脂肪組織量を推定する体幹部内臓脂肪組織量推定手段とを更に備える請求項１１乃至１６のいずれか１項に記載の体幹部内臓・皮下脂肪測定装置。
【請求項１８】
前記体幹部内臓脂肪組織インピーダンス推定手段は、体幹部の電気的等価回路が、前記体幹部の内臓器組織のインピーダンスと前記体幹部内臓脂肪組織のインピーダンスとの直列回路に対して前記体幹部骨格筋組織層のインピーダンスが並列に接続されたものとして推定を行う請求項１７に記載の体幹部内臓・皮下脂肪測定装置。
【請求項１９】
前記体幹部内臓脂肪組織インピーダンス推定手段は、体幹部の電気的等価回路が、前記体幹部の内臓器組織のインピーダンスと前記体幹部内臓脂肪組織のインピーダンスとの直列回路に対して、前記体幹部骨格筋組織層のインピーダンスと前記体幹部皮下脂肪組織層のインピーダンスとが並列に接続されたものとして推定を行う請求項１７に記載の体幹部内臓・皮下脂肪測定装置。
【請求項２０】
呼吸周期時間より短いサンプリング周期で測定した体幹部のインピーダンスに基づいて呼吸による変動の影響を除去するための呼吸変動影響除去手段を更に備える請求項１８又は１９に記載の体幹部内臓・皮下脂肪測定装置。